【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
印刷中に印刷媒体の全体に渡る電荷の移動を制御するシステムであって、
第１の支持ローラおよび第２の支持ローラと、
第１の帯電装置および第２の帯電装置と、
互いに対して処理方向にオフセットされる前記第１の支持ローラと前記第１の帯電装置により形成される上流ニップと、
互いに対して前記処理方向にオフセットされる前記第２の支持ローラと前記第２の帯電装置により形成される下流ニップと、
前記第１の支持ローラと前記第２の帯電装置の周りを回り、前記上流ニップおよび前記下流ニップを通過する付着ベルトと、
前記下流ニップを通過する媒体搬送ベルトと、を含むシステム。
【請求項２】
前記第１の帯電装置および第２の帯電装置はバイアス転写ローラである、請求項１に記載のシステム。
【請求項３】
前記上流ニップから上流に配置された圧力ブレードをさらに含み、前記印刷媒体が前記上流ニップに入るとき、前記圧力ブレードが上方向に前記第１の支持ローラに向けて印刷媒体にバイアスかける、請求項２に記載のシステム。
【請求項４】
前記印刷媒体が前記上流ニップを通過するとき、第１のバイアス転写ローラが前記印刷媒体の底面に第１の電荷を帯電させ、前記印刷媒体が前記下流ニップを通過するとき、第２のバイアス転写ローラが前記印刷媒体の上面に第２の電荷を帯電させる、請求項２に記載のシステム。
【請求項５】
前記第２の電荷は、前記第１の電荷の反対の極性および前記第１の電荷と同等の大きさを有する、請求項４に記載のシステム。
【請求項６】
前記第１のバイアス転写ローラの中心は、前記第１の支持ローラの中心の下流に位置し、前記第１のバイアス転写ローラと前記第１の支持ローラが前記上流ニップを形成する、請求項２に記載のシステム。
【請求項７】
前記第１のバイアス転写ローラの中心は、前記第１の支持ローラの中心から、おおよそ３ｍｍ下流に位置し、前記第１のバイアス転写ローラと前記第１の支持ローラが前記上流ニップを形成する、請求項２に記載のシステム。
【請求項８】
前記第２のバイアス転写ローラの中心は、前記第２の支持ローラの中心の下流に位置し、前記第２のバイアス転写ローラと前記第２の支持ローラが前記下流ニップを形成する、請求項２に記載のシステム。
【請求項９】
前記第２のバイアス転写ローラの中心は、前記第２の支持ローラの中心からおおよそ３ｍｍ下流に位置し、前記第２のバイアス転写ローラと第２の支持ローラが前記下流ニップを形成する、請求項２に記載のシステム。
【請求項１０】
圧盤および少なくとも１つの画像形成ヘッドをさらに含み、前記圧盤と前記少なくとも１つの画像形成ヘッドの間を、前記媒体搬送ベルトが第２のニップの下流に向かって通過する、請求項２に記載のシステム。
【請求項１１】
前記第２の支持ローラは、前記第１の支持ローラから第１の所定の距離だけ下流に、かつ、前記少なくとも１つの画像形成ヘッドから第２の所定の距離だけ上流に配置され、前記第２の所定の距離は、前記第１の所定の距離より長い、請求項１０に記載のシステム。
【請求項１２】
プリンタ内での印刷媒体の媒体搬送ベルトへの付着を促進する付着モジュールであって、
第１の支持ローラおよび第２の支持ローラと、
第１の帯電装置および第２の帯電装置と、
を含み、
前記第１の支持ローラと前記第１の帯電装置は上流ニップを形成し、互いに対して処理方向にオフセットし、
前記第２の支持ローラと前記第２の帯電装置は下流ニップを形成し、互いに対して処理方向にオフセットし、
当該付着モジュールは、
前記第１の支持ローラと前記第２の帯電装置の周りを回り、前記上流ニップおよび前記下流ニップを通過する付着ベルトを更に含む、付着モジュール。
【請求項１３】
前記第１の帯電装置および第２の帯電装置はバイアス転写ローラである、請求項１２に記載の付着モジュール。
【請求項１４】
前記上流ニップから上流に配置された圧力ブレードをさらに含み、前記印刷媒体が前記上流ニップに入るとき、前記圧力ブレードが上方向に前記第１の支持ローラに向けて印刷媒体にバイアスかける、請求項１３に記載の付着モジュール。
【請求項１５】
前記印刷媒体が前記上流ニップを通過するとき、前記第１のバイアス転写ローラが前記印刷媒体の底面に第１の電荷を帯電させ、前記印刷媒体が前記下流ニップを通過するとき、前記第２のバイアス転写ローラが前記印刷媒体の上面に第２の電荷を帯電させる、請求項１３に記載の付着モジュール。
【請求項１６】
前記第２の電荷は、前記第１の電荷の反対の極性および前記第１の電荷と同等の大きさを有する、請求項１５に記載の付着モジュール。
【請求項１７】
前記第１のバイアス転写ローラの中心は、前記第１の支持ローラの中心の下流に位置し、前記第１のバイアス転写ローラと前記第１の支持ローラが前記上流ニップを形成する、請求項１３に記載の付着モジュール。
【請求項１８】
前記第１のバイアス転写ローラの中心は、前記第１の支持ローラの中心から、おおよそ３ｍｍ下流に位置し、前記第１のバイアス転写ローラと前記第１の支持ローラが前記上流ニップを形成する、請求項１３に記載の付着モジュール。
【請求項１９】
前記第２のバイアス転写ローラの中心は、前記第２の支持ローラの中心の下流に位置し、前記第２のバイアス転写ローラと前記第２の支持ローラが前記下流ニップを形成する、請求項１３に記載の付着モジュール。
【請求項２０】
前記第２のバイアス転写ローラの中心は、前記第２の支持ローラの中心からおおよそ３ｍｍ下流に位置し、前記第２のバイアス転写ローラと第２の支持ローラが前記下流ニップを形成する、請求項１３に記載の付着モジュール。
【請求項２１】
前記第２の支持ローラは、前記第１の支持ローラから第１の所定の距離だけ下流に、かつ、前記少なくとも１つの画像形成ヘッドから第２の所定の距離だけ上流に配置され、前記第２の所定の距離は、前記第１の所定の距離より長い、請求項１３に記載の付着モジュール。
【請求項２２】
プリンタ内で印刷媒体を媒体搬送ベルトに付着させる方法であって、
圧力ブレードを前記印刷媒体に当てて、第１の支持ローラと第１の帯電装置により形成された上流ニップに入る前に、前記印刷媒体を前記第１の支持ローラと接触させるステップと、
第１の極性を有する第１の電荷を、第１のバイアス転写ローラと接触する印刷媒体面に帯電させるステップと、
第２の極性を有する第２の電荷を、前記印刷媒体の反対側の付着ベルト面に帯電させるステップと、
前記第２の極性を有し前記第１の電荷と同じ大きさの第３の電荷を、第２の帯電装置に帯電させるステップと、
第２の支持ローラと前記印刷媒体の反対側の搬送ベルト面との間に絶縁破壊による電荷のやりとりを発生させるステップと、
前記印刷媒体が画像形成ヘッドを通過するとき、前記印刷媒体上の前記第１の極性の電荷および前記印刷媒体の反対側の印刷媒体搬送ベルト面上の前記第２の極性の電荷を維持するステップと、
を含む方法。
【請求項２３】
前記第１の帯電装置の中心は、前記第１の支持ローラの中心の下流に位置し、前記第１の帯電装置と前記第１の支持ローラが前記上流ニップを形成し、前記第２の帯電装置の中心は、前記第２の支持ローラの中心の下流に位置し、前記第２の帯電装置と前記第２の支持ローラが下流ニップを形成する、請求項２２に記載の方法。
【請求項２４】
前記第１の帯電装置および第２の帯電装置はバイアス転写ローラである、請求項２２に記載の方法。